(57)【要約】【課題】  特に長尺のポールを地面に立設するのに適し、一人で格別の熟練も要せず、容易に能率よく作業できる立設具を提供せんとする。【解決手段】  ポール５を外嵌し支承する筒体１の上部端にポール頂部に当接した状態で下圧力を伝える蓋体２を冠着し、下部端は開口３し、更に、この筒体１の中央部に筒体１に対して直角横一直線に一対の握棒４Ａ、４Ａを対向して横設したことを特徴とする。【選択図】  図１
0003108636.tif 000002
【実用新案登録請求の範囲】
【請求項１】
ポールを外嵌し支承する筒体の上部端に、ポール頂部に当接した状態で下圧力を伝える蓋体を冠着し、下部端は開口し、更に、この筒体の中央部に筒体に対して直角横一直線に一対の握棒を対向して横設したことを特徴とするポール立設具。
【請求項２】
一対の握棒が筒体の上・下部に二組横設された請求項１記載のポール立設具。
【請求項３】
一対の握棒が筒体に突設した上・下二組の短尺軸へ、選択的に一端を着脱自在に外嵌して横設した請求項１記載のポール立設具。
【請求項４】
短尺軸が雄ネジ軸であり、外嵌する握棒の一端部が雌ネジ孔である請求項３記載のポール立設具。
【考案の詳細な説明】
【技術分野】
【０００１】
本考案は、苗木支え棒や冬期降雪地域で道路の路肩に沿って立設する識別ポール等の比較的長尺なポールを地面に刺して立設する具に関するものである。
【背景技術】
【０００２】
従来のポールを地面へ立設する方法は、ポールを立設位置に支承して立て、ポールの頂部をハンマーで叩打して下部を土中に打ち込むものであった。
又、立設用の特別な道具として、筒の上端に打撃面を備えたハンマー筒にハンドル棒を設け、ポールを筒内に挿入した外嵌状態を維持してハンマー筒を上下動し、打撃面でポール頂部を叩打して地中へ打ち込むものがある。
【考案の開示】
【考案が解決しようとする課題】
【０００３】
上記従来のハンマーを用いる方法は、二人一組での作業となり、又ハンマー操作に熟練が必要で危険もあり、更に２ｍ、３ｍの長尺なポールでは特別の足場が必要となる。
【０００４】
次に、ハンマー筒によるものも、ポールを外嵌するため一人での作業を期待できるが、ハンマー筒を上下動する腕力が不可欠であり、叩打するためにはポールの頂部からより高い位置から打撃面を力強く降下させることが作業効率を左右するため、短尺のポールには適するが、例えば２ｍを越えるような長尺のポールには問題が残るのである。
【０００５】
そこで本考案は、特に長尺のポールを地面に立設するのに適し、一人で格別の熟練も要せす、容易に能率よく作業できる立設具を提供せんとするものである。
【課題を解決するための手段】
【０００６】
本考案のポール立設具は、ポールを外嵌し支承する筒体の上部端に、ポール頂部に当接した状態で下圧力を伝える蓋体を冠着し、下部端は開口し、更に、この筒体の中央部に筒体に対して直角横一直線に一対の握棒を対向して横設したことを特徴とするものである。
【０００７】
ポールを筒体に外嵌し、ポールの頂部と筒体の上端部の蓋体内面とを当接したままポールの設置場所に立て、直立させた状態を維持し、各握棒を両手で握って両腕を伸ばしてそのままぶら下がるように体重を下方へかければ、体重の圧力が蓋体からポールの頂部に作用してポールが地中に突き刺さるのである。又体重の掛け方は同時に腕を曲げてもよいことは勿論である。
【０００８】
又、ポールが短尺の場合は、握棒を把持した両腕を支えにして上体を覆い被り、体重を掛けることで同様に蓋体からポールの頂部に圧力が作用し、ポールが地中に突き刺さるのである。
【０００９】
筒体の上・下部に一対の握棒を二組横設しておけば、体重の掛け易い位置の組の握棒を選択して、無理なく作業を行えるものである。
又、例えば長尺のポールの場合、第一段階として、作業上好位置にある下部の握棒を使って突き刺した後、次の段階で、好位置に下降した上部の握棒を使って仕上げに所定の深さまで突き刺すことができるのである。
【００１０】
筒体の上・下部に握棒を横設する場合、筒体の上・下部に短尺の軸を突設し、該短尺軸に選択的に一組の握棒を着脱自在に嵌合するようにすれば、上記と同様の作用を奏するのであり、短尺軸と握棒との嵌合を螺合によることとすれば、両者の結合がより強固となるものである。
【考案の効果】
【００１１】
以上のように、本考案はポールの頂部をハンマーやハンマー筒で叩打して土中へ打ち込むものでなく、筒体内に挿入したポールの頂部と蓋体を当接した状態で、握棒に作業者の体重を掛けた圧力を蓋体を介してポールの頂部に作用させるものであるから、格別の技術も要せず、安全、容易に作業を行えるのである。
【００１２】
そして、操作具を上下動してポールの頂部に作用させるものでないから、２ｍ、３ｍの長尺なポールでも一人で安全容易に作業できる効果があり、筒体の上・下部に握棒を設ければ、作業上好位置にある握棒を選択して効率よく作業を行えるのである。
【００１３】
又、上・下に設ける握棒は同時に使用されるものでなく、選択的に使用するものであるから、筒体には短尺軸を設け、選択した部位の短尺軸に握棒を着脱可能に横設するものとすれば、一組の握棒で足り、不使用の握棒が作業上障害となることを回避できる効果もある。
【考案を実施するための最良の形態】
【００１４】
本考案の実施の形態を図面に基づいて説明する。
図１は、本考案の一実施の形態を示す一部切り欠いた正面図であり、平面円形の金属製の筒体１の上部端に蓋体２を熔接により一体に冠着し、下部端は開口３し、筒体１内へポール５の挿脱を可能としている。
筒体１の中央部には、筒体１の円形断面の中心を通る水平直線上に一対の握棒４Ａ、４Ａが対向して横設してあり、突合する握棒４Ａ、４Ａの基部と筒体１の側周面とは熔接により強固に取り付けられている。
【００１５】
図２は、本立設具の使用状態を示す図であり、筒体１の開口３より立設するポール５を頂部から挿入し、上部端の蓋体２の内面に当接させ、その状態でポール５の設置場所に垂直に立て、握棒４Ａ、４Ａを左右の手で握りしめ、作業者自身の身体や体重を利用してそのまま下圧することで、下圧力が蓋体２からポール５の頂部に作用して、ポール５が土中へ突き刺さるのである。
【００１６】
図３は、本考案の他の実施の形態を示す正面図であり、一対の握棒４Ａ、４Ａが筒体１の上部と下部に二組横設されているものであり、立設するポールの長さや作業者の身長等の違いにより、好位置となる握棒４Ａ、４Ａを選択して、ポール５に対し、かつ作業者自身が効率よく下圧力を与えられるようにしたものである。
【００１７】
図４は、筒体１の上部と下部に握棒４Ａ、４Ａを有する他の実施の形態を示す正面図であり、握棒４Ａ、４Ａが筒体１に対して固定して横設されるものでなく、一組の握棒４Ａ、４Ａが筒体１の上・下部に突設した短尺軸６Ａ、６Ａ、６Ａ、６Ａへ選択的に装着できるようにしたものである。
短尺軸６Ａ、６Ａ、６Ａ、６Ａに対し、握棒４Ａ、４Ａの一端部が嵌合して着脱可能としたものであり、握棒４Ａ、４Ａの一端部から短尺軸６Ａ、６Ａ、６Ａ、６Ａを外嵌できる横穴を設けるか、或いは握棒４Ａ、４Ａを筒体としてもよい。
【００１８】
更に、図５は短尺軸を雄ネジ短尺軸６Ｂ、６Ｂ、６Ｂ、６Ｂとし、螺合する雌ネジを有する握棒４Ｂ、４Ｂとしたものである。
【００１９】
本考案具においては、家庭用菜園から業務上の長尺ポールの立設まで利用可能で、具体的には筒体１の長さは６００ｍｍから９００ｍｍで、内径５０ｍｍから７５ｍｍの範囲で各種ポールに対応でき、握棒４Ａ、４Ａの長さは１５０ｍｍから２００ｍｍとすれば、９００ｍｍから３，０００ｍｍの様々なポールに対して、立設を一人で容易かつ安全に行えるものである。
【図面の簡単な説明】
【００２０】
【図１】本考案具の一実施の形態を示す一部切り欠いた正面図である。
【図２】本考案具の使用状態を示す正面図である。
【図３】本考案具の他の実施の形態を示す正面図である。
【図４】本考案具の他の実施の形態を示す正面図である。
【図５】本考案具の他の実施の形態を示す部分図である。
【符号の説明】
【００２１】
１  筒体
２  蓋体
３  開口
４Ａ、４Ｂ  握棒
５  ポール
６Ａ、６Ｂ  短尺軸
【図１】
0003108636.tif 000003
【図２】
0003108636.tif 000004
【図３】
0003108636.tif 000005
【図４】
0003108636.tif 000006
【図５】
0003108636.tif 000007